(57)【要約】【課題】  押え板によって指針軸の端面に加わる荷重を一定に保ち、指針軸の回転動作を安定させることができる指針時計を提供する。【解決手段】  輪列受部材である後受板１３に取り付けられる押え板１６に、二番車７の分針軸９の端面を軸方向に弾力的に押える板ばね部１７と、この板ばね部１７の根元部１７ａから離れた後受板１３の箇所に固定される固定部１８と、板ばね部１７の根元部１７ａを後受板１３に押し付けるように付勢する折曲部１９とを設けた。従って、押え板１６の固定部１７を後受板１３に固定すると、折曲部１９が板ばね部１７の根元部１７ａを後受板１３に押し付けるので、後受板１３に対する押え板１６の取付状態および折曲部１９の折曲状態にばらつきがあっても、板ばね部１７によって分針軸９の端面に一定の荷重を付与することができ、これにより分針軸９の回転動作を安定させることができる。【選択図】        図２
2007078505.tif 000002
【特許請求の範囲】
【請求項１】
指針を運針する指針軸と、この指針軸を回転自在に支持する輪列受部材と、この輪列受部材に取り付けられて前記指針軸の端面を押える押え板とを備えた指針時計において、
前記押え板は、前記指針軸の端面を軸方向に弾力的に押える板ばね部と、この板ばね部の根元部から離れた箇所で前記輪列受部材に固定される固定部と、前記板ばね部の前記根元部を前記輪列受部材に押し付ける方向に付勢する折曲部とを備えていることを特徴とする指針時計。
【請求項２】
前記固定部は、前記板ばね部の前記根元部から離れて前記板ばね部の先端側に位置する箇所で前記輪列受部材に固定され、前記折曲部は、前記板ばね部の前記根元部から離れた前記固定部側寄りに位置する前記押え板の箇所に設けられていることを特徴とする請求項１に記載の指針時計。
【請求項３】
前記押え板には、少なくとも前記板ばね部の前記根元部側に位置する箇所の前記押え板を前記輪列受部材に対し位置決め固定する位置決め部が設けられていることを特徴とする請求項１または２に記載の指針時計。
【請求項４】
前記板ばね部は、前記根元部を除いてその周囲が切り抜かれた状態で、前記押え板に舌状に形成されていることを特徴とする請求項１〜３のいずれかに記載の指針時計。
【発明の詳細な説明】
【技術分野】
【０００１】
この発明は、時針、分針、秒針などの指針を指針軸によって運針させて時刻を指示する指針時計に関する。
【背景技術】
【０００２】
従来、指針時計においては、指針軸の回転により指針を運針する際、指針軸の回転動作を安定させて指針の動作角度を一定に保つために、指針軸の端面をばね部材で弾力的に押えて指針軸に荷重を加えることにより、指針軸の回転動作を安定させるように構成している。
【０００３】
この種の指針時計としては、特許文献１に記載されているように、輪列受に取り付けられて指針軸の端面に荷重を付与する板状のばね部材を、第１弾性部と第２弾性部とで形成し、第１弾性部で指針軸の端面を軸方向に弾力的に加圧すると共に、第２弾性部がねじれ方向に変形することにより、この第２弾性部のねじれ変形によって指針軸の端部に斜め方向の側圧を付与し、これにより指針軸の回転動作を安定させるように構成したものがある。
【特許文献１】実開平８−２６２１５３号
【発明の開示】
【発明が解決しようとする課題】
【０００４】
しかしながら、このような従来の指針時計では、ばね部材を第１弾性部と第２弾性部とで形成し、第１弾性部で指針軸の端面を軸方向に弾力的に加圧すると共に、第２弾性部のねじれ変形で指針軸の端部に斜め方向の側圧を付与することにより、指針軸の回転動作を安定させているが、ばね部材を輪列受に取り付けるときに、ばね部材の取付位置がずれたり、ばね部材が輪列受から浮き上がったりするなどして、ばね部材の取付状態にばらつきがあると、ばね部材によって指針軸の端部に加わる加圧力や側圧力などの荷重にばらつきが生じるという問題がある。
【０００５】
すなわち、指針軸の端部に加える荷重は微妙であり、その荷重のばらつきが大きいとアナログ機構部全体に悪影響を及ぼす。例えば、指針軸の端部に加わる荷重が小さいと、指針軸の回転動作にばらつきが生じ、指針軸の回転動作が不安定になるという問題がある。また、指針軸の端部に加わる荷重が大きいと、指針軸に必要以上に負荷がかかるため、駆動源であるステップモータの消費電流が多くなるという問題が生じる。
【０００６】
この発明が解決しようとする課題は、押え板によって指針軸の端面に加わる荷重を一定に保ち、指針軸の回転動作を安定させることができる指針時計を提供することである。
【課題を解決するための手段】
【０００７】
この発明は、上記課題を解決するために、次のような構成要素を備えている。
なお、各構成要素には、後述する実施形態の項で説明される各要素に付されている図面の参照番号などを括弧と共に付す。
【０００８】
請求項１に記載の発明は、図１〜図４に示すように、指針（６）を運針する指針軸（５）と、この指針軸を回転自在に支持する輪列受部材（輪列受１１および後受板１３）と、この輪列受部材に取り付けられて前記指針軸の端面を押える押え板（１６）とを備えた指針時計において、
前記押え板は、前記指針軸（例えば指針軸５の一つである分針軸９）の端面を軸方向に弾力的に押える板ばね部（１７）と、この板ばね部の根元部（１７ａ）から離れた箇所で前記輪列受部材（後受板１３）に固定される固定部（１８）と、前記板ばね部の前記根元部を前記輪列受部材に押し付ける方向に付勢する折曲部（１９）とを備えていることを特徴とする指針時計である。
【０００９】
請求項２に記載の発明は、図１〜図４に示すように、前記固定部（１８）が、前記板ばね部（１７）の前記根元部（１７ａ）から離れて前記板ばね部の先端側に位置する箇所で前記輪列受部材（後受板１３）に固定され、前記折曲部（１９）が、前記板ばね部の前記根元部から離れた前記固定部側寄りに位置する前記押え板（１６）の箇所に設けられていることを特徴とする請求項１に記載の指針時計である。
【００１０】
請求項３に記載の発明は、図１〜図４に示すように、前記押え板（１６）に、少なくとも前記板ばね部（１７）の前記根元部（１７ａ）側に位置する箇所の前記押え板を前記輪列受部材（後受板１３）に対し位置決め固定する位置決め部（２１）が設けられていることを特徴とする請求項１または２に記載の指針時計である。
【００１１】
請求項４に記載の発明は、図１〜図４に示すように、前記板ばね部（１７）が、前記根元部（１７ａ）を除いてその周囲が切り抜かれた状態で、前記押え板（１６）に舌状に形成されていることを特徴とする請求項１〜３のいずれかに記載の指針時計である。
【発明の効果】
【００１２】
請求項１に記載の発明によれば、輪列受部材に取り付けられて指針軸の端面を押える押え板が、指針軸の端面を軸方向に弾力的に押える板ばね部と、この板ばね部の根元部から離れた箇所で輪列受部材に固定される固定部と、板ばね部の根元部を輪列受部材に押し付ける方向に付勢する折曲部とを備えていることにより、押え板の固定部を輪列受部材に固定すると、折曲部が板ばね部の根元部を輪列受部材に押し付けるので、折曲部によって板ばね部の根元部を輪列受部材から浮き上がないように押えることができる。このため、輪列受部材に対する押え板の取付状態および折曲部の折曲状態にばらつきがあっても、板ばね部の弾性力が常に一定になり、この板ばね部の弾性力で指針軸の端面を軸方向に押えるので、指針軸に加わる荷重を一定に保つことができ、これにより指針軸の回転動作を安定させることができる。
【００１３】
請求項２に記載の発明によれば、固定部が板ばね部の根元部から離れて板ばね部の先端側に位置する箇所で輪列受部材に固定され、折曲部が板ばね部の根元部から離れた固定部側寄りに位置する押え板の箇所に設けられていることにより、固定部と折曲部とを板ばね部の根元部から十分に離すことができ、これにより輪列受部材に固定された固定部によって折曲部に最適な弾性力を持たすことができる。このため、輪列受部材に対する押え板の取付状態および折曲部の折曲状態にばらつきがあっても、折曲部の弾性力によって板ばね部の根元部を輪列受部材に浮き上がらないように確実に且つ良好に押し付けることができ、これにより板ばね部の弾性力を一定に保つことができるので、指針軸の端面に一定の荷重を付与することができる。
【００１４】
請求項３に記載の発明によれば、押え板には、少なくとも板ばね部の根元部側に位置する箇所の押え板を輪列受部材に対し位置決め固定する位置決め部が設けられていることにより、この位置決め部によって押え板を輪列受部材に対し正確に且つ確実に位置決めして取り付けることができると共に、固定部が板ばね部の根元部から離れていても、位置決め部によって板ばね部の根元部側に位置する箇所の押え板を輪列受部材に位置決めして固定することができ、これによっても板ばね部の根元部が輪列受部材から浮き上がるのを防ぐことができるので、板ばね部の弾性力を一定に保つことができ、これにより指針軸の端面に一定の荷重を付与することができる。
【００１５】
請求項４に記載の発明によれば、板ばね部が、根元部を除いてその周囲を切り抜いた状態で、押え板に舌状に形成されていることにより、押え板のほぼ中央部に板ばね部を形成することができると共に、押え板によって板ばね部の周囲が囲われるので、押え板の周囲によって板ばね部を保護することができ、これによっても押え板を輪列受部材に確実に且つ良好に取り付けることができるほか、押え板の取付作業や押え板の取り扱いが容易にできる。
【発明を実施するための最良の形態】
【００１６】
以下、図１〜図４を参照して、この発明を指針式腕時計に適用した実施形態について説明する。
図１はこの発明の指針式腕時計に組み込まれるアナログ機構部を示した裏面図、図２はそのＡ−Ａ矢視における断面図、図３は図１の押え板を示した拡大図、図４は図３の押え板の側面図である。
この指針式腕時計は、図１に示すように、アナログ機構部１を備えている。このアナログ機構部１は、図１および図２に示すように、２針式のものであり、ステップモータ２の回転を輪列機構３の指針車４に伝え、この指針車４の指針軸５が回転することにより、指針６を運針するように構成されている。
【００１７】
この場合、指針車４は、図２に示すように、二番車７と筒車８とであり、ステップモータ２の回転が中間車（図示せず）を介して二番車７に伝達され、これにより二番車７が１時間で１回転し、この二番車７の回転が日の裏車（図示せず）を介して筒車８に伝達され、この筒車８が１２時間で１回転するように構成されている。指針軸５は、二番車７に設けられた分針軸９と、筒車８に設けられた筒状の時針軸１０とであり、分針軸９が筒状の時針軸１０内に回転自在に挿入され、これにより分針軸９と時針軸１０とが同一軸を中心にそれぞれ回転するように構成されている。
【００１８】
すなわち、二番車７は、図２に示すように、その分針軸９のほぼ中間部が輪列受１１の軸受孔１１ａに回転自在に挿入され、分針軸９の先端部９ａ（図２では下端部）が文字板１２の貫通孔１２ａを通して下方に突出し、且つ分針軸９の他端部９ｂ（図２では上端部）が後受板１３の軸受孔１３ａに回転自在に挿入され、この状態で輪列受１１と後受板１３とに回転自在に取り付けられている。筒車８は、輪列受１１の下面に配置されて文字板１２により回転可能に押えられ、この状態で筒状の時針軸１０が文字板１２の貫通孔１２ａを通して下方に突出すると共に、その中心部内に分針軸９が回転自在に挿入され、これにより輪列受１１に回転自在に取り付けられている。
【００１９】
また、指針６は、図２に示すように、二番車７の分針軸９の先端部つまり時針軸１０の中心部内を通してその下方に突出した分針軸９の先端部に取り付けられた分針１４と、筒車８の時針軸１０の先端部つまり文字板１２の下方に突出した時針軸１０の先端部に取り付けられた時針１５とであり、分針１４が二番車７の回転に伴って文字板１２の下方（実際には上方）を１時間で１回転する速度で運針し、時針１５が筒車８の回転に伴って文字板１２の下方（実際には上方）を１２時間で１回転する速度で運針するように構成されている。  
【００２０】
一方、後受板１３の上面には、図１および図２に示すように、後受板１３の軸受孔１３ａに挿入されて上方に露出する分針軸９の他端部９ｂを弾力的に押える押え板１６が取り付けられている。この押え板１６には、図３および図４に示すように、分針軸９の他端部９ｂが後受板１３の上方に露出する端面を軸方向に弾力的に押える板ばね部１７と、この板ばね部１７の根元部１７ａから離れた箇所で後受板１３に固定される固定部１８と、板ばね部１７の根元部１７ａを後受板１の上面に押し付ける方向に付勢する折曲部１９とが一体に形成されている。
【００２１】
この場合、板ばね部１７は、図３に示すように、その根元部１７ａを除いて周囲が切り抜かれた状態で、押え板１６のほぼ中央部に舌状に形成され、これによりばね性を有し、このばね性を有する舌状の先端部が後受板１３の上方に露出する分針軸９の他端部９ｂにおける端面を軸方向に弾力的に押えるように構成されている。固定部１８は、図１および図２に示すように、板ばね部１７の根元部１７ａから離れて板ばね部１７の先端側（図３では右端部側）に位置する後受板１３の箇所にビス２０によって固定されるように構成されている。
【００２２】
すなわち、この固定部１８は、図１および図２に示すように、押え板１６の周縁部における一端部（図３では右端部）に板ばね部１７の先端部から離れる方向（図３では右側方向）に向けて延出され、この延出された部分の中央部にビス挿入孔１８ａが設けられ、このビス挿入孔１８ａと後受板１３に設けられたビス挿入孔１３ｂとを対応させた状態で、その上方からビス２０を挿入し、このビス２０の先端部（図２では下端部）を輪列受１１のねじ孔１１ｂに螺着することにより、後受板１３と共に輪列受１１に固定されるように構成されている。
【００２３】
また、折曲部１９は、図３および図４に示すように、固定部１８の近傍、つまり板ばね部１７の根元部１７ａから離れた固定部１８側寄りで、この固定部１８が押え板１６から延出する付根部分に位置する箇所に設けられている。すなわち、この折曲部１９は、押え板１６に対しほぼ垂直下方、つまり直角よりも少し小さい角度で斜め下方に向けて折り曲げられた上、その下部が固定部１８と共にほぼ水平に折り曲げられた構成になっている。この場合、後受板１３の上面には、図２に示すように、固定部１８を固定する部分が段差部１３ｃを介して一段低く形成され、これによりビス２０の頭部が後受板１３の最上面よりも上方に突出しないように構成されている。
【００２４】
このため、折曲部１９は、図２に示すように、その垂直方向の高さが後受板１３の段差部１３ｃの高さ、つまりビス２０の頭部の高さよりも少し高く形成され、これにより折曲部１９の上部が段差部１３ｃの上方に突出し、この突出した上部が押え板１６を後受板１３の上面に押し付ける方向に付勢する弾性力をもち、この弾性力によって板ばね部１７の根元部１７ａを後受板１３の上面に押し付けるように構成されている。この場合、特に折曲部１９は、後受板１３に固定部１８が固定されると、この固定部１８によって後受板１３の段差部１３ｃに押し付けられるので、押え板１６を後受板１３の上面に押し付ける弾性力が大きくなるように構成されている。
【００２５】
また、この押え板１６には、図１〜図４に示すように、２つの位置決め部２１、２２が設けられている。これら位置決め部２１、２２のうち、一方の位置決め部２１は、図１および図２に示すように、板ばね部１７の根元部１７ａの近傍に位置する端部に設けられ、これに対応する後受板１３の一方の位置決め穴１３ｄに挿入することにより、板ばね部１７の根元部１７ａ側に位置する箇所の押え板１６を後受板１３に対し位置決めして固定するように構成されている。この場合、板ばね部１７は、図３に示すように、固定部１８と一方の位置決め部２１とを結ぶ直線に対し傾いた状態で設けられている。
【００２６】
他方の位置決め部２２は、図１および図３に示すように、固定部１８と一方の位置決め部２１とを結ぶ直線に対し傾いて設けられた板ばね部１７の中間部分に対応し、その傾き方向に対しほぼ直交する方向に向けて延出された押え板１６の延出部分の先端部に設けられ、これに対応する後受板１３の他方の位置決め穴１３ｅに挿入することにより、板ばね部１７の側部に対応する押え板１６の側辺部側を後受板１３に対し位置決めして固定するように構成されている。
【００２７】
次に、押え板１６を後受板１３に取り付ける場合について説明する。このときには、まず、図２に示すように、押え板１６の固定部１８に設けられたビス挿入孔１８ａを後受板１３のビス挿入孔１３ｂに対させる。このときに、図１に示すように、２つの位置決め部２１、２２のうち、一方の位置決め部２１を板ばね部１７の根元部１７ａの近傍に位置する後受板１３の位置決め穴１３ｄに挿入して、板ばね部１７の根元部１７ａ側を後受板１３に対し位置決めする。また、他方の位置決め部２２を押え板１６の側辺部側に位置する後受板１３の位置決め穴１３ｅに挿入して、板ばね部１７の側部に対応する押え板１６の側辺部側を後受板１３に対し位置決めする。
【００２８】
この状態で、図２に示すように、固定部１８のビス挿入孔１８ａおよび後受板１３のビス挿入孔１３ｂにビス２０を挿入し、このビス２０の先端部を輪列受１１のねじ孔１１ｂに螺着することにより、押え板１６を後受板１３と共に輪列受１１に固定する。すると、押え板１６の板ばね部１７の先端部分が後受板１３の軸受孔１３ａから露出した二番車７の分針軸９の端面に対応して、その端面を軸方向に弾力的に押えると共に、押え板１６の折曲部１９が後受板１３の段差部１３ｂに対応して配置される。
【００２９】
このときには、図１および図２に示すように、固定部１８および折曲部１９が板ばね部１７の根元部１７ａから離れて板ばね部１７の先端側に位置する箇所で後受板１３に固定されると共に、折曲部１９の垂直方向の高さが、図２に示すように、後受板１３の段差部１３ｃの高さよりも少し高く形成され、その上部が直角よりも少し小さい角度で折り曲げられていることにより、固定部１８がビス２０で後受板１３に固定されると、この固定部１８によって折曲部１９が後受板１３の段差部１３ｃに押し付けられ、この段差部１３ｃの上方に突出した折曲部１９の上部によって、折曲部１９全体に十分な弾性力を持たせることができ、この折曲部１９の弾性力によって押え板１６を後受板１３の上面に押し付けることができる。
【００３０】
このため、折曲部１９の弾性力によって押え板１６の板ばね部１７の根元部１７ａを後受板１３の上面に浮き上がらないように確実に押し付けることができる。これにより、後受板１３に対する押え板１６の取付状態および折曲部１９の折曲状態にばらつきがあっても、板ばね部１７の弾性力が常に一定になり、この板ばね部１７の弾性力で分針軸９の端面を押えるので、分針軸９の端面に加わる荷重を一定に保つことができ、これにより分針軸９の回転動作を安定させることができる。
【００３１】
このように、この指針式腕時計によれば、輪列受部材である後受板１３に取り付けられる押え板１６に、二番車７の分針軸９の端面を軸方向に弾力的に押える板ばね部１７と、この板ばね部１７の根元部１７ａから離れた箇所で後受板１３に固定される固定部１８と、板ばね部１７の根元部１７ａを後受板１３に押え付けるように付勢する折曲部１９とを一体に形成したので、押え板１６の固定部１８を後受板１３に固定すると、この固定部１８によって折曲部１９に十分な弾性力を持たすことができる。
【００３２】
すなわち、固定部１８が後受板１３に固定されると、この固定部１８が折曲部１９を後受板１３の段差部１３ｃに押し付けるので、押え板１６を後受板１３に押し付ける折曲部１９の弾性力が大きくなる。このため、この折曲部１９の弾性力によって板ばね部１７の根元部１７ａを後受板１３上に浮き上がらないように確実に押し付けることができる。従って、後受板１３に対する押え板１６の取付状態および折曲部１９の折曲状態にばらつきがあっても、板ばね部１７の弾性力が常に一定になり、この板ばね部１７の弾性力で分針軸９の端面を軸方向に押し付けるので、分針軸９の端面に加わる荷重を一定に保つことができ、これにより分針軸９の回転動作を安定させることができる。
【００３３】
この場合、特に固定部１８が板ばね部１７の根元部１７ａから離れて板ばね部１７の先端側に位置する箇所で後受板１３に固定されていると共に、折曲部１９が板ばね部１７の根元部１７ａから離れた固定部１８側寄りに位置する押え板１６の箇所に設けられているので、固定部１８と折曲部１９とを板ばね部１７の根元部１７ａから十分に離すことができ、これによっても後受板１３に固定された固定部１８によって折曲部１９に最適な弾性力を持たすことができる。このため、後受板１３に対する押え板１６の取付状態および折曲部１９の折曲状態にばらつきがあっても、折曲部１９の弾性力によって板ばね部１７の根元部１７ａを後受板１３上に浮き上がらないように確実に且つ良好に押し付けることができ、これにより板ばね部１７の弾性力を一定に保つことができるので、分針軸９の端面に一定の荷重を付与することができる。
【００３４】
また、押え板１６には、２つの位置決め部２１、２２が設けられているので、これら２つの位置決め部２１、２２によって押え板１６を後受板１３に対し位置決めして正確に且つ確実に取り付けることができるほか、特に一方の位置決め部２１が板ばね部１７の根元部１７ａ側に位置する箇所の押え板１６を後受板１３に対し位置決めして固定するので、固定部１８が板ばね部１７の根元部１７ａから離れていても、この一方の位置決め部２１によって板ばね部１７の根元部１７ａ側を後受板１３に位置決めして固定することができ、これによっても板ばね部１７の根元部１７ａが後受板１３から浮き上がるのを防ぐことができるので、板ばね部１７の弾性力を一定に保つことができ、これにより分針軸９の端面を一定の荷重で押えることができる。
【００３５】
さらに、板ばね部１７は、その根元部１７ａを除いてその周囲を切り抜いた状態で、押え板１６に舌状に形成されているので、押え板１６のほぼ中央部に板ばね部１７を形成することができると共に、押え板１６によって板ばね部１７の周囲が囲われるので、この押え板１３の周囲によって板ばね部１７を保護することができ、これによっても押え板１６を後受板１３に確実に且つ良好に取り付けることができるほか、押え板１６の取付作業や押え板１６の取り扱いが容易にできる。
【００３６】
なお、上記実施形態では、２針式のアナログ機構部１を備えた指針式腕時計に適用した場合について述べたが、これに限らず、３針式のアナログ機構部を備えた指針式腕時計にも適用することができる。すなわち、この３針式のアナログ機構部は、二番車７の分針軸９を管状（パイプ状）に形成し、この分針軸９の内部に四番車に設けられた秒針軸を挿入し、この秒針軸の先端部に秒針を取り付けた構成で、これ以外は上述した実施形態とほぼ同じ構成になっている。
【００３７】
この場合には、四番車の秒針軸が輪列受１１と後受板１３とに回転自在に取り付けられ、この状態で秒針軸の端部が後受板１３の軸受孔１３ａに挿入して外部に露出し、この露出した秒針軸の端面を押え板１６の板ばね部１７で軸方向に弾力的に押え付けるように構成すれば良い。このように構成しても、上述した実施形態と同様、押え板１６によって秒針軸の端面を一定の荷重で押え付けることができるので、秒針軸の回転動作を安定させることができる。
【００３８】
また、上記実施形態では、指針式腕時計に適用した場合について述べたが、必ずしも腕時計である必要はなく、トラベルウォッチ、目覚まし時計、置き時計、掛け時計などの指針時計に広く適用することができる。
【図面の簡単な説明】
【００３９】
【図１】この発明を指針式腕時計に適用したアナログ機構部を示した裏面図である。
【図２】図１のＡ−Ａ矢視における断面図である。
【図３】図１の押え板を示した拡大図である。
【図４】図３の押え板の側面図である。
【符号の説明】
【００４０】
１  アナログ機構部
３  輪列機構
５  指針軸
６  指針
７  二番車
８  筒車
９  分針軸
１０  時針軸
１１  輪列受
１３  後受板
１６  押え板
１７  板ばね部
１８  固定部
１９  折曲部
２０  ビス
２１、２２  位置決め部
【図１】
2007078505.tif 000003
【図２】
2007078505.tif 000004
【図３】
2007078505.tif 000005
【図４】
2007078505.tif 000006